(57)【特許請求の範囲】
【請求項１】
内容物充填後にヒートシールして内容物を密封し、熱収縮させる包装袋であって、
内層及び外層にイージーピールを形成可能な熱可塑性樹脂、中間層に熱をかけることにより収縮する熱可塑性樹脂、前記内層及び外層と前記中間層との間にポリエチレンを積層した多層フィルムからなり、
前記内層及び外層は、直鎖状低密度ポリエチレンからなり、
前記中間層の熱可塑性樹脂は、二軸延伸ポリアミドからなり、
前記内層及び外層と前記中間層との間に積層されるポリエチレンは、低密度ポリエチレンからなり、
前記包装袋は、前記多層フィルムを筒状に湾曲させてその両端部をオーバーラップさせた重ね合わせ部を有し、
前記重ね合わせ部における外面側になっている一方の側縁部の先端側に指で摘まめる程度の幅（１０−２０ｍｍ）の帯状の非シール部である指入れ部を残した状態で縦シール部を有し、
前記縦シール部の長手方向両端にそれぞれ交差して形成された横シール部を有し、
前記縦シール部は、ＪＩＳ Ｋ６８５４によるヒートシール強度が１０Ｎ／１５ｍｍ幅未満のイージーピールとなっており、
前記縦シール部は、凝集剥離易開封性シールからなり、
前記横シール部は、ＪＩＳ  Ｋ６８５４によるヒートシール強度が１０Ｎ／１５ｍｍ幅以上となっており、
前記非シール部は、短手方向に引き裂くための易開封手段を有することを特徴とする包装袋。
【請求項２】
前記易開封手段で切断した切り込みを所望の方向に切り裂けるよう補助する開封補助手段を有することを特徴とする請求項１に記載の包装袋。
【発明の詳細な説明】
【技術分野】
【０００１】
本発明は、粘稠性の内容物を充填するのに好適な多層フィルム及び包装袋に関し、特に内容物充填後に熱収縮させて内容物の移動を抑制する多層フィルム及び包装袋に関する。
【背景技術】
【０００２】
従来から、業務用として大容量の包装に用いられる、特に粘稠性食品であるフラワーペースト、ジャム、餡等の食品の包装袋は、図５に示したような三方シール方式（横シール５１０、５２０、縦シール５３０）の形状で、１ｋｇ〜１０ｋｇ入り等の大容量で密封されている。
【０００３】
このような業務用の包装袋においては、容易に内容物が取り出せるよう包装袋の良好な開封性が所望されている。たとえば、特許文献１には、積層フィルムを筒状に湾曲して両側縁部をオーバーラップさせ、外面側の側縁部の先端側に帯状の非シール部を残した状態で略平行に形成された複数の縦シール部と、縦シール部の長手方向両端部にそれぞれ交差して形成された横シール部とを有する三方シール袋に被充填物が充填される充填包装袋の技術が開示されている。
【０００４】
特許文献１における積層フィルムは、内外層を低密度ポリエチレンからなるシール層とし、中間層にフィルム強度を付与する基材層を用いて構成されており、縦シール部及び横シール部を易開封性シール（イージーピール）として包装袋を形成しているため、帯状の非シール部を指で摘んで引っ張るだけで開封可能となっている。
【０００５】
また、包装袋の保管作業や流通時等、大きな振動が生じる場合には、内容物がそれらに伴って振動し、応力がかかることによってイージーピール部が剥離してしまうといった問題が生じていた。更に、振動等の外圧から、その内容物の組成ネットワークが崩壊し内部から水分等が包装袋の表面に凝集することにより、品質の劣悪感と、外観を損ねることが認められていた。
【０００６】
このような問題点に対し、包装袋の原材料として二軸延伸プラスチックフィルムを積層材として包装袋を形成し、内容物充填後に熱収縮させることで内容物の振動を抑制した図５に示すようなシュリンク包装袋が用いられている。
【０００７】
従来のシュリンク包装袋は、図６に示したように熱収縮性プラスチックフィルム６０の積層断面として、最外層にヒートシール可能な二軸延伸ポリアミドの基材６３０を配置し、内部層にヒートシール可能なシーラントの直鎖状低密度ポリエチレン（ＬＬＤＰＥ：Linear Low Density Polyethylene）６５０と、ポリオレフィン系、ポリエステル系、ポリアミドからなる群より選ばれる少なくとも１種以上を積層し、シュリンクによる基材６３０とシーラント６５０との剥離を緩衝するための無延伸ポリエチレン６４０という構成を採っており、図７に示すように最内層同士をヒートシールして、熱収縮性プラスチックフィルム６０を筒状に連続製袋することにより縦シール部５３０（図５）を形成している。
【０００８】
このようなシュリンク包装袋の開封性を向上させた技術としては、例えば特許文献２には、横シール部に縦のノッチを設けることにより、ナイフやカッター、鋏等の開封器具を使用することなく、開封口を確保する包装袋に関する技術が開示されている。
【先行技術文献】
【特許文献】
【０００９】
【特許文献１】国際公開第２００６／０３８７００号公報
【特許文献２】特許第３８４５７９７号公報
【発明の概要】
【発明が解決しようとする課題】
【００１０】
しかしながら、特許文献２に開示される易開封性を有するシュリンク包装袋においては、ノッチを基準として縦一方向にのみ引き裂くことによって内容物を取り出すものであり、未だ取り出し容易性が十分でないという問題がある。
【００１１】
そこで本発明は、上記従来の問題点に鑑みてなされたもので、内容物充填後にヒートシールして内容物を密封し、熱収縮させた包装袋において、開封が容易であり、内容物の取り出しやすさを向上させた包装袋を提供することを目的とする。
【課題を解決するための手段】
【００１２】
上記課題を解決するため、本発明における包装袋は、内容物充填後にヒートシールして内容物を密封し、熱収縮させる包装袋であって、内層及び外層にイージーピールを形成可能な熱可塑性樹脂、中間層に熱をかけることにより収縮する熱可塑性樹脂、前記内層及び外層と前記中間層との間にポリエチレンを積層した多層フィルムからなり、前記内層及び外層は、直鎖状低密度ポリエチレンからなり、前記中間層の熱可塑性樹脂は、二軸延伸ポリアミドからなり、前記内層及び外層と前記中間層との間に積層されるポリエチレンは、低密度ポリエチレンからなり、前記包装袋は、前記多層フィルムを筒状に湾曲させてその両端部をオーバーラップさせた重ね合わせ部を有し、前記重ね合わせ部における外面側になっている一方の側縁部の先端側に指で摘まめる程度の幅（１０−２０ｍｍ）の帯状の非シール部である指入れ部を残した状態で縦シール部を有し、前記縦シール部の長手方向両端にそれぞれ交差して形成された横シール部を有し、前記縦シール部は、ＪＩＳ Ｋ６８５４によるヒートシール強度が１０Ｎ／１５ｍｍ幅未満のイージーピールとなっており、前記縦シール部は、凝集剥離易開封性シールからなり、前記横シール部は、ＪＩＳ  Ｋ６８５４によるヒートシール強度が１０Ｎ／１５ｍｍ幅以上となっており、前記非シール部は、短手方向に引き裂くための易開封手段を有することを特徴とする。
【発明の効果】
【００１３】
本発明によれば、内容物充填後にヒートシールして内容物を密封し、熱収縮させた包装袋において、開封が容易であり、内容物の取り出しやすさを向上させることができる。
【図面の簡単な説明】
【００１４】
【図１】本発明の実施形態における包装袋の平面図である。
【図２】本発明の実施形態における多層フィルムの積層構成を示す図である。
【図３】本発明の実施形態における包装袋の図１のＡ−Ａ断面図である。
【図４】本発明の他の実施形態における包装袋の平面図である。
【図５】従来の包装袋の平面図である。
【図６】従来の多層フィルムの層構成を示す図である。
【図７】従来の包装袋の図５のＢ−Ｂ断面図である。
【発明を実施するための形態】
【００１５】
次に、本発明を実施するための形態について図面を参照して詳細に説明する。なお、各図中、同一又は相当する部分には同一の符号を付しており、その重複説明は適宜に簡略化乃至省略する。
【００１６】
本発明の実施形態における上記多層フィルムを用いた包装袋について説明する。図１は、本発明の実施形態における包装袋の平面図であり、図３は、本発明の実施形態における包装袋の図１のＡ−Ａ断面図である。
【００１７】
図１において、包装袋２０は、図２に記載した多層フィルム１０を使用してピロー包装機にて製造される。包装袋２０は、横シール部２１０、２２０と、縦シール部２３０を有して構成される。本実施形態におけるこれらのシール部は、全てＪＩＳ  Ｋ６８５４によるヒートシール強度が１０Ｎ／１５ｍｍ幅未満のイージーピールとなっている。
【００１８】
包装袋２０は、多層フィルム１０を筒状に湾曲させてその両端部をオーバーラップさせて形成した重ね合わせ部３００（図３参照）を形成し、この重ね合わせ部３００における外面側になっている一方の側縁部の先端３２０側に指で摘まめる程度の幅（１０〜２０ｍｍ）の帯状の非シール部である指入れ部３１０を残した状態で縦シール部２３０（図１を参照）が形成され、筒状体となっている。また、この重ね合わせ部３００は、多層フィルム１０における外層１１０と内層１５０とが接合されることにより形成される。なお、本実施形態では、縦シール部２３０は、幅の厚い１本のみで形成しても、複数本の細いラインで形成されていても良いことは勿論のことである。
【００１９】
そして、この筒状体２０の内部に所定量の被充填物を充填し、両横シール２１０、２２０を縦シール２３０と交差するようにそれぞれ形成して密封する。ここで、縦シール部２３０及び横シール部２１０、２２０は、包装袋２０から被充填物を取り出すために開封する前には、縦シール部２３０及び横シール部２１０、２２０が剥離することがなく、開封する際には、帯状の非シール部である指入れ部３１０を指で摘んで引っ張るだけで容易に縦シール部２３０及び横シール部２１０、２２０が剥離するような強度を有する凝集剥離易開封性シール（所謂イージーピール）からなる。
【００２０】
なお、帯状の非シール部である指入れ部３１０を指で摘んで開封する際の開封を容易にするため、縦シール部２３０のシール幅は１５ｍｍ未満にすると良い。ところで、凝集剥離易開封性シールは、シール層自体が破壊されて剥離するものであって、剥離時に糸引きが生じない。よって、被充填物に混入の虞がない。また、滑らかな剥離感でシール強度が安定しており、温度依存性が非常に少ない。さらに、剥離面は真っ白な剥離痕が生じる。この真っ白な剥離痕は、シールが適性にできているかどうか剥離により目視確認ができることから、包装工程上でのシール状況の確認にも役立てることができる。その結果、被充填物の信頼性が保たれる。
【００２１】
このようにして形成された包装袋２０は、９２℃の熱水中に１分間放置する熱収縮工程を経るが、この時の熱水温度、時間はこれより低く、短いと充分収縮せず、本来の機能を発揮しない。またこれ以上高温雰囲気に長時間さらすと、直鎖状低密度ポリエチレン層１１０、１５０が剥離し、その結果フィルム強度、シール強度が落ちると共に、シール部が硬化し開封作業の為の応力を必要以上要することになる。熱収縮工程については、本来の収縮率を満たし、シール強度、必要以上の引裂き応力を要しない程度であれば、内容物容積、温度により上記数字に限定されることはなく適宜変更できる。更に、熱収縮工程は熱水に限定されることなく、ヒーター等を用いて実施しても良い。
【００２２】
図２は、本発明の実施形態における多層フィルムの積層構成を示す図である。図２において、本発明における多層フィルム１０は、外層１１０と、サンド層１２０と、収縮層１３０と、サンド層１４０と、内層１５０とから構成される。
【００２３】
外層１１０及び内層１５０は、凝集破壊するイージーピールを形成可能な熱可塑性樹脂からなり、例えば直鎖状低密度ポリエチレン（ＬＬＤＰＥ）とポリプロピレン（ＰＰ）の組成物、ＬＬＤＰＥとポリブテンの組成物、低密度ポリエチレン（ＬＤＰＥ）とＰＰの組成物、エチレン−酢酸ビニル共重合体（ＥＶＡ）とＰＰの組成物等が挙げられ、本発明においてはこれらに限定されることなく、イージーピールを形成可能な樹脂を適宜選択して用いることができる。
【００２４】
サンド層１２０及び１４０は、収縮層１３０と外層１１０及び内層１５０との間に設けられるポリエチレンからなる層であり、例えばＬＬＤＰＥやＬＤＰＥ等を用いることができる。なお、収縮層１３０とは公知の接着剤を用いて接着することができる。このサンド層を有することで、収縮層１３０の熱収縮時における外層１１０及び内層１５０との剥離を緩衝することができる。
【００２５】
収縮層１３０は、熱をかけることにより収縮する熱可塑性樹脂からなり、二軸延伸された公知の樹脂を用いることができるが、強度など各種機械特性を満足するためにポリアミドを用いることが好ましい。ポリアミドとしては、ナイロン６、ナイロン６６、ナイロン１２、ナイロン４６のような脂肪族ナイロン、ＭＸ＿ナイロンのような芳香族を含有する脂肪族ナイロン、芳香族ナイロン等又はこれらの共重合ナイロン、またこれら樹脂の混合物が挙げられる。
【００２６】
また、二軸延伸ポリアミド１３０の製造方法は、一般的に行われているインフュージョン法、キャスト法により作られ、同時二軸延伸、逐次二軸延伸により延伸される。チューブラー法により二軸延伸フィルムを作成してもよい。二軸延伸の延伸倍率は各軸方法に２〜６倍、好ましくは３〜５倍である。延伸率が２倍以下であると延伸の効果である、熱収縮性、耐破断性が充分発揮されない。また６倍を超えると延伸中にもフィルムが破断することもあり、フィルム強度が著しく低下するといわれている。
【００２７】
さらに、本実施形態におけるフィルムの積層方法は、一般に用いられているドライラミネーション法、押し出しラミネーション法、ホットラミネーション法等により、あるいはこれらを組み合わせてそれぞれの層を積層することにより製造することができる。接着剤についても一般に使用している公知のものが使用できる。
【００２８】
本実施形態によれば、熱収縮する二軸延伸ポリアミドを、シール部を形成する直鎖状低密度ポリエチレンでサンドイッチし、さらにポリアミドと直鎖状低密度ポリエチレンとの間に低密度ポリエチレンを有することで、熱収縮時における層間剥離を防止し、さらに内外層に配置された直鎖状低密度ポリエチレン同士を熱融着してイージーピールを形成することができる。
【００２９】
次に、本発明の他の実施形態について説明する。前述の実施形態においては、横シール部をイージーピールとして短手方向の開封性を向上させていたが、本実施形態においては、横シールとは別の易開封手段を備える。図４は、本発明の他の実施形態における包装袋の平面図である。包装袋４０は、横シール４１０、４２０が、ＪＩＳ  Ｋ６８５４によるヒートシール強度１０Ｎ／１５ｍｍ幅以上で形成された強シールとなっている。縦シール４３０は、図１の実施形態における縦シール２３０と同様にイージーピールで構成される。この横シール４１０、４２０は、図１の実施形態における横シール２１０、２２０よりも高い温度や圧力、時間によりシールすることで形成可能である。これにより、例えば内容物の縦型製袋同時充填時等において横シールの剥離を原因とする内容物の露出をより完全に防止することができる。
【００３０】
また、包装袋４０は、非シール部４４０に短手方向の開封性を改善するための易開封手段を有する。易開封手段としては、例えば図４に示すように非シール部４４０の長尺方向両端部に切り込みであるノッチ４５０、４６０を形成することで短手方向の開封性を改善することができる。また、易開封手段は、このようなノッチに限定されることなく、非シール部４４０の短手方向縁部に半貫通の切込みや微細な傷（孔）を設ける等如何なるものであっても良いことは勿論のことである。
【００３１】
さらに、より開封性を改善するために、ノッチ等の易開封手段に加えて、横シール４１０、４２０付近に短手方向の開封を補助する開封補助手段を設けても良い。
【００３２】
ここで開封補助手段とは、易開封手段で切断した切り込みを直線状（あるいは所望の方向）に切り裂けるよう補助するものであり、たとえば図４に図示するように等間隔に半貫通の切込みであるミシン目４７０、４８０を入れることで形成可能である。
【００３３】
以上説明したように、本発明によれば、ヒートシール製樹脂、収縮性樹脂、ヒートシール製樹脂からなる多層フィルムを筒状に湾曲させ、その両端部をオーバーラップさせて形成し、このオーバーラップ部の先端側に非シール部を残した状態で縦シール部を形成し、この筒状体の内部に所定量の被充填物を充填し、横シールを縦シールと交差するようにそれぞれ形成して密封し、縦シール及び、または横シールをイージーピールとすることにより、容易に開封して内容物を容易に取り出すことができる。また、シュリンク加工を経ることにより、内容物が相互移動できない程度に圧縮され、包装袋が置かれている外部環境の変化に伴う内容物の品質の安定化を図ることができる。
【００３４】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００３５】
１０    多層フィルム
１１０    外層
１２０、１４０    サンド層
１３０    収縮層
１５０    内層
２０、４０    包装袋
２１０、２２０    横シール部（イージーピール）
２３０、４３０    縦シール部（イージーピール）
２４０、４４０    非シール部
３００    重ね合わせ部
３１０    指入れ部
３２０    先端
４１０、４２０    横シール（強シール）
４５０、４６０    ノッチ
４７０、４８０    ミシン目
【図１】
0005957807.tif 000002
【図２】
0005957807.tif 000003
【図３】
0005957807.tif 000004
【図４】
0005957807.tif 000005
【図５】
0005957807.tif 000006
【図６】
0005957807.tif 000007
【図７】
0005957807.tif 000008